(57)【要約】【課題】  レーザ素子を安全に駆動するためのレーザ素子駆動装置の提供。【解決手段】  レーザ素子駆動装置１は、流れる電流に応じて光強度が変わるレーザ素子ＬＤと、レーザ素子ＬＤの光強度をモニタして電気信号に変換する光検出素子ＰＤと、レーザ素子ＬＤに流れる電流を制御する発光制御スイッチ１１と、光検出素子ＰＤの電気信号をフィードバックして発光制御スイッチ１１を制御するフィードバック増幅器１２と、レーザ素子ＬＤの発光開始時にレーザ素子ＬＤに流れる電流を徐々に増加させるよう発光制御スイッチ１１を制御する又は／及びレーザ素子ＬＤの発光開始からレーザ素子ＬＤに所定時間続いて電流が流れると異常と判断して発光制御スイッチ１１をオフする発光制御スイッチ制御回路１６と、を備える。【選択図】  図１
2005286060.tif 000002
【特許請求の範囲】
【請求項１】
流れる電流に応じて光強度が変わるレーザ素子と、
レーザ素子の光強度をモニタして電気信号に変換する光検出素子と、
レーザ素子に流れる電流を制御する発光制御スイッチと、
光検出素子の電気信号をフィードバックして発光制御スイッチを制御するフィードバック増幅器と、
レーザ素子の発光開始時にレーザ素子に流れる電流を徐々に増加させるよう発光制御スイッチを制御する又は／及びレーザ素子の発光開始からレーザ素子に所定時間続いて電流が流れると異常と判断して発光制御スイッチをオフする発光制御スイッチ制御回路と、
を備えることを特徴とするレーザ素子駆動装置。
【請求項２】
請求項１に記載のレーザ素子駆動装置において、
発光制御スイッチ制御回路は、コンデンサと発光停止スイッチとを備え、レーザ素子の発光開始時に、発光停止スイッチをオンして発光制御スイッチを強制的にオフすると共に前記コンデンサを充電し、所定時間経過後発光停止スイッチをオフして前記コンデンサを放電することにより発光制御スイッチを制御してレーザ素子に流れる電流を徐々に増加させることを特徴とするレーザ素子駆動装置。
【請求項３】
請求項２に記載のレーザ素子駆動装置において、
発光制御スイッチ制御回路は、レーザ素子の発光開始からレーザ素子に所定時間続いて電流が流れると異常と判断し、発光停止スイッチをオンして発光制御スイッチをオフすることを特徴とするレーザ素子駆動装置。
【請求項４】
請求項１に記載のレーザ素子駆動装置において、
発光制御スイッチ制御回路は、発光停止スイッチを備え、レーザ素子の発光開始からレーザ素子に所定時間続いて電流が流れると異常と判断し、発光停止スイッチをオンして発光制御スイッチをオフすることを特徴とするレーザ素子駆動装置。
【請求項５】
請求項３又は４に記載のレーザ素子駆動装置において、
レーザ素子の発光開始から異常と判断されるまでの所定時間をカウントするための基準クロックを出力する発振器を備え、この発振器は異常と判断されると発振動作が停止させられることを特徴とするレーザ素子駆動装置。
【発明の詳細な説明】
【技術分野】
【０００１】
本発明は、レーザ素子の発光（点灯）制御を行うレーザ素子駆動装置、詳しくは、人間の目に対する安全性を考慮したレーザ素子の発光（点灯）制御を行うレーザ素子駆動装置に関する。  
【背景技術】
【０００２】
デジタルカメラやデジタルビデオ等は、夜間の被写体に焦点を合わせるためのバックライトとしてレーザ素子を用いている。このようなレーザ素子を点灯制御するレーザ素子駆動装置は、レーザ素子と、その光強度をモニタして電気信号に変換する光検出素子と、を備え、光検出素子の電気信号をフィードバックしてレーザ素子への供給電流を制御するものが一般的である（例えば特許文献１）。そして、レーザ素子駆動装置は、レーザ素子への電流供給を間欠的に行い、それに応じてレーザ素子を非連続に発光させる。
【０００３】
図２は、従来のレーザ素子駆動装置である。このレーザ素子駆動装置１０１は、流れる電流に応じて光強度が変わるレーザ素子ＬＤと、レーザ素子ＬＤが発する光を受けて光強度に応じた電流を生成する光検出素子ＰＤと、光検出素子ＰＤの電流を電圧に変換する電圧変換抵抗１３０と、その電圧を非反転入力端子に受け、レーザ素子ＬＤの発光強度を設定する発光強度設定電圧発生器１２４の出力電圧を反転入力端子に入力して後述の発光制御スイッチ１１１を制御するフィードバック増幅器１１２と、フィードバック増幅器１１２の出力電圧をゲートに入力し、レーザ素子ＬＤにドレインが接続され、レーザ素子ＬＤに流れる電流を制御するＰＭＯＳトランジスタである発光制御スイッチ１１１と、電源Ｖｄｄにコレクタが、所定の電源電圧を供給する内部電源ＶｄｄＩＮにエミッタが接続され、ローレベルとハイレベルよりなる間欠制御信号ＳＩＧに応じて開閉する（非導通・導通となる）ＮＰＮトランジスタである電源スイッチ１２５と、を備える。内部電源ＶｄｄＩＮには、発光制御スイッチ１１１のソース及びフィードバック増幅器１１２の電源端が接続される。
【０００４】
次に、レーザ素子駆動装置１０１の動作説明を行う。電源スイッチ１２５に間欠制御信号ＳＩＧのローレベルが入力されている場合、電源スイッチ１２５は非導通となって発光制御スイッチ１１１等には電源供給されず、従ってレーザ素子ＬＤには電流は流れず、レーザ素子ＬＤは発光しない。また、電源スイッチ１２５に間欠制御信号ＳＩＧのハイレベルが入力されると、電源スイッチ１２５が導通して内部電源ＶｄｄＩＮが所定の電源電圧を供給する。電源スイッチ１２５が導通した直後は、光検出素子ＰＤに電流は生成されないのでフィードバック増幅器１１２の非反転入力端子の入力電圧は接地レベルであり、フィードバック増幅器１１２の出力電圧も接地レベルである。従って、発光制御スイッチ１１１はオンし、レーザ素子ＬＤに電流が流れてレーザ素子ＬＤは発光する。そして、フィードバックループにより、電圧変換抵抗１３０の電圧と発光強度設定電圧発生器１２４の出力電圧が一致するところで、レーザ素子ＬＤには安定して所定の電流が流れる。この動作が間欠制御信号ＳＩＧに応じて繰り返される。
【０００５】
【特許文献１】特開平６−３２６３９６
【発明の開示】
【発明が解決しようとする課題】
【０００６】
このように、デジタルカメラやデジタルビデオ等使用されるレーザ素子ＬＤは、レーザ素子駆動装置１０１により非連続に（間欠的に）発光する。これは、被写体が人間である場合にその目への悪影響を防ぐためである。
【０００７】
ここで、本願発明者は、間欠制御信号ＳＩＧ等に不具合が生じた場合にはレーザ素子が連続点灯状態となり得るのではないかと着目し、このような場合に対しても連続点灯状態にならない対策を講じるのが望ましいとした。また、前述のように、電源スイッチ１２５が導通した直後は、フィードバック増幅器１１２の出力電圧は接地レベルであるため、発光制御スイッチ１１１は最大電流を流すようにフルオンし、その結果、レーザ素子に突入電流が流れて発光強度の大きい発光があり得るのではないかと着目し、このような場合に対しても発光強度の大きい発光にならない対策を講じるのが望ましいとした。
【０００８】
本発明は係る事由に鑑みてなされたものであり、その目的は、人間の目に悪影響を及ぼすレーザ素子の長時間発光（連続点灯）、あるいは発光強度の大きい発光を防ぎ、人間の目に対する安全性が高められるレーザ素子駆動装置を提供することにある。
【課題を解決するための手段】
【０００９】
上記の課題を解決するために、請求項１に係るレーザ素子駆動装置は、流れる電流に応じて光強度が変わるレーザ素子と、レーザ素子の光強度をモニタして電気信号に変換する光検出素子と、レーザ素子に流れる電流を制御する発光制御スイッチと、光検出素子の電気信号をフィードバックして発光制御スイッチを制御するフィードバック増幅器と、レーザ素子の発光開始時にレーザ素子に流れる電流を徐々に増加させるよう発光制御スイッチを制御する又は／及びレーザ素子の発光開始からレーザ素子に所定時間続いて電流が流れると異常と判断して発光制御スイッチをオフする発光制御スイッチ制御回路と、を備えることを特徴とする。
【００１０】
請求項２に係るレーザ素子駆動装置は、請求項１に記載のレーザ素子駆動装置において、  発光制御スイッチ制御回路は、コンデンサと発光停止スイッチとを備え、レーザ素子の発光開始時に、発光停止スイッチをオンして発光制御スイッチを強制的にオフすると共に前記コンデンサを充電し、所定時間経過後発光停止スイッチをオフして前記コンデンサを放電することにより発光制御スイッチを制御してレーザ素子に流れる電流を徐々に増加させることを特徴とする。
【００１１】
請求項３に係るレーザ素子駆動装置は、請求項２に記載のレーザ素子駆動装置において、  発光制御スイッチ制御回路は、レーザ素子の発光開始からレーザ素子に所定時間続いて電流が流れると異常と判断し、発光停止スイッチをオンして発光制御スイッチをオフすることを特徴とする。
【００１２】
請求項４に係るレーザ素子駆動装置は、請求項１に記載のレーザ素子駆動装置において、  発光制御スイッチ制御回路は、発光停止スイッチを備え、レーザ素子の発光開始からレーザ素子に所定時間続いて電流が流れると異常と判断し、発光停止スイッチをオンして発光制御スイッチをオフすることを特徴とする。
【００１３】
請求項５に係るレーザ素子駆動装置は、請求項３又は４に記載のレーザ素子駆動装置において、レーザ素子の発光開始から異常と判断されるまでの所定時間をカウントするための基準クロックを出力する発振器を備え、この発振器は異常と判断されると発振動作が停止させられることを特徴とする。
【発明の効果】
【００１４】
本発明のレーザ素子駆動装置は、レーザ素子の発光開始時にレーザ素子に流れる電流を徐々に増加させるようにしたので、発光強度の大きい発光による人間の目への悪影響を防いで人間の目に対する安全性を高めることができ、また、レーザ素子へのストレスを抑制して長寿命化を図ることができる。また、間欠制御信号等の不具合によりレーザ素子が所定時間以上発光し続けた場合、発光制御スイッチをオフしてレーザ素子ＬＤの発光を停止するようにしたので、異常な連続点灯による人間の目への悪影響を防いで人間の目に対する安全性を高めることができる。
【発明を実施するための最良の形態】
【００１５】
以下、本発明の実施形態であるレーザ素子駆動装置を図１に基づいて説明する。このレーザ素子駆動装置１は、背景技術におけるレーザ素子駆動装置１０１と同様に、流れる電流に応じて光強度が変わるレーザ素子ＬＤと、レーザ素子ＬＤが発する光を受け光強度に応じた電流を生成する（すなわちレーザ素子の光強度をモニタして電気信号に変換する）光検出素子ＰＤと、光検出素子ＰＤの電流を電圧に変換する電圧変換抵抗３０と、その電圧を非反転入力端子に受け（すなわち光検出素子の電気信号をフィードバックし）、レーザ素子ＬＤの発光強度を設定する発光強度設定電圧発生器２４の出力電圧を反転入力端子に入力して後述の発光制御スイッチ１１を制御するフィードバック増幅器１２と、フィードバック増幅器１２の出力電圧をゲートに入力し、レーザ素子ＬＤにドレインが接続され、レーザ素子ＬＤに流れる電流を制御するＰＭＯＳトランジスタである発光制御スイッチ１１と、電源Ｖｄｄにコレクタが、所定の電源電圧を供給する内部電源ＶｄｄＩＮにエミッタが接続され、ローレベルとハイレベルよりなる間欠制御信号ＳＩＧ（例えば、５０Ｈｚ程度でデューティ５０％の矩形波）に応じて開閉する（非導通・導通となる）ＮＰＮトランジスタである電源スイッチ２５と、を備える。内部電源ＶｄｄＩＮには、発光制御スイッチ１１のソース及びフィードバック増幅器１２の電源端が接続される。
【００１６】
このレーザ素子駆動装置１は、更に、基準クロック（例えば４０ＫＨｚ）を出力する発振器（ＯＳＣ）１７と、内部電源ＶｄｄＩＮと基準クロックとを入力し、異常な連続点灯を防止するためのフェイルセーフ回路１３と、間欠制御信号ＳＩＧと基準クロックとを入力し、レーザ素子ＬＤに過度の大電流が流れるのを防ぐためのソフトスタート回路１４と、フェイルセーフ回路１３からの信号とソフトスタート回路１４からの信号を受け、それらの信号に基づき発光制御スイッチ１１を制御する発光制御スイッチ制御回路１６と、を備える。
【００１７】
フェイルセーフ回路１３は、内部電源検出回路１８と、カウンタ（ｃｏｕｎｔｅｒ）１９と、フリップフロップ回路２０と、から構成される。内部電源検出回路１８は、微分回路を形成するコンデンサ３１及び抵抗３３と、その出力電圧をクランプするダイオード３２と、から構成される。コンデンサ３１の一端は内部電源VｄｄＩＮを信号として入力する。コンデンサ３１の他端は抵抗３３の一端とダイオード３２のカソードに接続されている。抵抗３１の他端とダイオード３２のアノードは接地されている。そして、微分回路を形成するコンデンサ３１及び抵抗３３は、内部電源VｄｄＩＮの立ち上がりを検出し、それに同期したワンショットパルスを生成してカウンタ１９とフリップフロップ回路２０のリセット入力端子Ｒに出力する。ダイオード３２は、内部電源VｄｄＩＮの立ち下がりに同期して生じる負方向の出力電圧を接地電位よりショットキーバリア電圧（ＶＦ）分下がったところでクランプするようにして、出力電圧を受ける回路に過度の負荷がかからないようにするためのものである。
【００１８】
フェイルセーフ回路１３のカウンタ１９は、内部電源検出回路１８のワンショットパルスをカウントスタート信号として入力し、発振器１７の基準クロックの数をカウントする。そして、所定のカウント数（例えば４０００カウント程度）になると以下に説明するフリップフロップ回路２０のセット入力端子Ｓに出力する。フリップフロップ回路２０は、入力端子としてリセット入力端子Ｒとセット入力端子Ｓとを有し、出力端子として非反転出力端子Ｑと反転出力端子ＱＮを有する。リセット入力端子Ｒにパルスが入力されると非反転出力端子Ｑからローレベルを、反転出力端子ＱＮからハイレベルを出力する。セット入力端子Ｓにパルスが入力されると非反転出力端子Ｑからハイレベルを、反転出力端子ＱＮからローレベルを出力する。非反転出力端子Ｑの信号は、後述する発光制御スイッチ制御回路１６のＮＯＲ回路２８の一の入力端子に入力される。反転出力端子ＱＮの信号は発振器１７に入力され、発振器１７はその信号がハイレベルならば発振を行い、ローレベルならば発振を止める。
【００１９】
次に、ソフトスタート回路１４の回路構成を説明する。ソフトスタート回路１４は、間欠制御信号検出回路２１と、カウンタ（ｃｏｕｎｔｅｒ）２２と、フリップフロップ回路２３と、から構成される。間欠制御信号検出回路２１は、内部電源検出回路１８と同様の回路構成になっている。すなわち、間欠制御信号検出回路２１は、微分回路を形成するコンデンサ３４及び抵抗３６と、その出力電圧をクランプするダイオード３５と、から構成される。そして、微分回路を形成するコンデンサ３４及び抵抗３５は、間欠制御信号ＳＩＧの立ち上がりを検出し、それに同期したワンショットパルスを生成してカウンタ２２とフリップフロップ回路２３のリセット入力端子Ｒに出力する。
【００２０】
ソフトスタート回路１４のカウンタ２２は、間欠制御信号検出回路２１のワンショットパルスをカウントスタート信号として入力し、発振器１７の基準クロックの数をカウントする。そして、所定のカウント数（例えば４カウント程度）までカウントすると以下に説明するフリップフロップ回路２３のセット入力端子Ｓに出力する。フリップフロップ回路２３は、前述のフェイルセーフ回路１３のフリップフロップ回路２０と同様の機能を行う回路である。反転出力端子ＱＮの信号は発光制御スイッチ制御回路１６のＮＯＲ回路２８の他の入力端子に入力され、非反転出力端子Ｑの信号はいずれにも入力されない。
【００２１】
次に、発光制御スイッチ制御回路１６の回路構成を説明する。発光制御スイッチ制御回路１６は、前述のように、フェイルセーフ回路１３のフリップフロップ回路２０の信号とソフトスタート回路１４のフリップフロップ回路２３の信号が入力されるＮＯＲ回路２８と、その出力にゲートが、内部電源ＶｄｄＩＮにソースが、フィードバック増幅器１２の出力にドレインが接続される発光停止スイッチ２９と、そのドレインに一端が接続され、他端が接地されたソフトスタート用コンデンサ３８と、から構成される。ここで、発光停止スイッチ２９の電流駆動能力は、フィードバック増幅器１２の接地側（すなわちシンク電流）の電流駆動能力よりも十分に高いものとしている。この構成により、ＮＯＲ回路２８に入力する２つの信号の何れかがハイレベル信号であれば、発光停止スイッチ２９がオンし、フィードバック増幅器１２の出力に係わらず、発光制御スイッチ１１のゲートを強制的に電源電圧レベルにする。その結果、レーザ素子ＬＤに電流は流れなくなると共にソフトスタート用コンデンサ３８が電源電圧レベルに充電される。ＮＯＲ回路２８に入力する２つの信号の何れもローレベルであれば発光停止スイッチ２９はオフするので、発光制御スイッチ１１のゲート電圧はフィードバック増幅器１２とソフトスタート用コンデンサ３８の状態によって決まることになる。この詳細は後述する。
【００２２】
次に、レーザ素子駆動装置１の動作について説明する。先ず、電源スイッチ２５に間欠制御信号ＳＩＧのローレベルが入力されている場合、電源スイッチ２５は非導通となって発光制御スイッチ１１等には電源供給されず、従ってレーザ素子ＬＤには電流は流れず、レーザ素子ＬＤは発光しない。
【００２３】
次いで、レーザ素子ＬＤの発光開始時、すなわち電源スイッチ２５に間欠制御信号ＳＩＧのハイレベルが入力されると、電源スイッチ２５が導通して内部電源ＶｄｄＩＮが所定の電源電圧を供給する。そして、内部電源VｄｄＩＮの立ち上がりエッジは、フェイルセーフ回路１３の内部電源検出回路１８により検出され、その検出信号によりフリップフロップ回路２０がリセットされると共にカウンタ１９がカウントを開始する。
【００２４】
一方、ソフトスタート回路１４においては、間欠制御信号ＳＩＧの立ち上がりエッジは間欠制御信号検出回路２１により検出され、その検出信号によりフリップフロップ回路２３がリセットされると共にカウンタ２２がカウントを開始する。ソフトスタート回路１４のフリップフロップ回路２３がリセットされると、フリップフロップ回路２３の反転出力ＱＮからハイレベルが発光制御スイッチ制御回路１６のＮＯＲ回路２８に入力される。ＮＯＲ回路２８は、発光停止スイッチ２９にローレベルを出力し、発光停止スイッチ２９をオンして発光制御スイッチ１１のゲートを強制的に電源電圧レベルにする。このとき、発光制御スイッチ１１はオフ（非導通）となるので、レーザ素子ＬＤには電流は流れない。また、ソフトスタート用コンデンサ３８は電源電圧レベルに充電される。なお、レーザ素子ＬＤは発光せず、光検出素子ＰＤに電流は生成されないため、フィードバック増幅器１２の非反転入力端子の入力電圧は接地レベルであり、フィードバック増幅器１２は接地レベルを出力する。従って、フィードバック増幅器１２のシンク電流（例えば１００μＡ程度）はそのまま発光停止スイッチ２９を流れるが、前述のように発光停止スイッチ２９の電流駆動能力は十分に高いので発光制御スイッチ１１のゲート電圧は電源電圧レベルに維持される。
【００２５】
次に、カウントを開始したカウンタ２２は、間欠制御信号ＳＩＧの１周期（例えば２０ｍｓｅｃ）より短い所定時間（例えば０．１ｍｓｅｃ程度）までカウント（例えば４カウント程度）すると、フリップフロップ回路２３のセット入力Ｓにハイレベルを入力する。フリップフロップ回路２３の反転出力ＱＮからローレベルが発光制御スイッチ制御回路１６のＮＯＲ回路２８に入力される。また、ＮＯＲ回路２８の他の入力端子にはフェイルセーフ回路１３のリセットされたフリップフロップ回路２０の非反転出力Ｑからローレベルが入力されている。ＮＯＲ回路２８はハイレベルを出力し、発光停止スイッチ２９をオフさせる。なお、カウンタ２２で決まる所定時間（例えば０．１ｍｓｅｃ程度）の間に内部電源VｄｄＩＮが十分に立ち上がり、またソフトスタート用コンデンサ３８は十分に充電されている。
【００２６】
そして、ソフトスタート用コンデンサ３８（例えば０．０１μＦ）に充電された電荷はフィードバック増幅器１２のシンク電流（例えば１００μＡ程度）によって徐々に放電し、発光制御スイッチ１１のゲート電圧は徐々に降下する。こうして、発光制御スイッチ制御回路１６は、レーザ素子ＬＤの発光開始時にレーザ素子ＬＤに流れる電流を徐々に増加させるよう発光制御スイッチ１１を制御する。
【００２７】
このように、レーザ素子駆動装置１は、レーザ素子ＬＤの発光開始時にレーザ素子ＬＤに流れる電流を徐々に増加させるようにしてレーザ素子ＬＤに突入電流が流れないようにすることにより、発光強度の大きい発光による人間の目への悪影響を防ぐことができる。また、突入電流によるレーザ素子へのストレスを抑制することにより、レーザ素子の長寿命化を図ることができる。
【００２８】
次に、発光制御スイッチ１１のゲート電圧は徐々に降下するに従って、レーザ素子ＬＤの発光強度は大きくなる。そして、光検出素子ＰＤが生成する電流は多くなり、電圧変換抵抗３０の電圧は徐々に高くなる。この電圧が発光強度設定電圧発生器２４の出力電圧以上になると、フィードバック増幅器１２は発光制御スイッチ１１のゲート電圧を上昇させるように出力する。すなわち、フィードバックループにより、電圧変換抵抗３０の電圧と発光強度設定電圧発生器２４の出力電圧が一致するところで、レーザ素子ＬＤには安定して所定の電流が流れる。
【００２９】
以上説明した動作が間欠制御信号ＳＩＧに応じて繰り返される。そして、人間の目への悪影響を防ぐよう安全にレーザ素子ＬＤを非連続に（間欠的に）発光させる。
【００３０】
ここで、間欠制御信号ＳＩＧ等に不具合が生じ、内部電源VｄｄＩＮが所定時間（例えば０．１ｓｅｃ程度）経過しても立ち下がらない場合、フェイルセーフ回路１３のカウンタ１９が所定のカウント数（例えば４０００カウント程度）に達する。そうすると、フリップフロップ回路２０のセット入力Ｓにハイレベルが入力され、非反転出力Ｑからハイレベルが発光制御スイッチ制御回路１６のＮＯＲ回路２８に入力される。そして、ＮＯＲ回路２８から発光停止スイッチ２９のゲートにローレベルが入力され、発光停止スイッチ２９はオンする。これにより発光制御スイッチ１１はオフし、レーザ素子ＬＤには電流は流れず、発光は停止する。すなわち、レーザ素子ＬＤの発光開始からレーザ素子ＬＤに所定時間（例えば０．１ｓｅｃ程度）続いて電流が流れると異常と判断して発光制御スイッチ１１をオフし、レーザ素子ＬＤの発光を停止する。
【００３１】
このように、レーザ素子駆動装置１は、間欠制御信号ＳＩＧ等の不具合によりレーザ素子ＬＤが所定時間以上発光し続けた場合、発光制御スイッチ１１をオフしてレーザ素子ＬＤの発光を停止することで、異常時にも人間の目への悪影響を防ぐよう安全にレーザ素子ＬＤを駆動することができる。
【００３２】
また、この異常時には、フリップフロップ回路２０の反転出力ＱＮからローレベルが発振器１７に入力され、その発振動作を停止する。レーザ素子ＬＤを発光させない時は、発振器を動作させる必要がないためである。こうすることで、無駄な電力消費の削減を図ることができる。
【００３３】
なお、上記実施形態においては、フェイルセーフ回路１３とソフトスタート回路１４の両方を有するものを説明したが、間欠制御信号ＳＩＧ等が別の手段により不具合防止対策がとられている場合には前者を、また別の手段によりレーザ素子ＬＤへの突入電流防止対策とられている場合には後者を、それぞれ省略してもよい。また、場合に応じ、レーザ素子駆動装置１で用いているＭＯＳトランジスタをバイポーラトランジスタに置き換えたり逆にバイポーラトランジスタをＭＯＳトランジスタに置き換えたりインバータ又はＮＯＲ回路等の数を増減したりすることなどが可能なのは勿論である。
【図面の簡単な説明】
【００３４】
【図１】本発明の実施形態に係るレーザ素子駆動装置の回路図。
【図２】背景技術におけるレーザ素子駆動装置の回路図。
【符号の説明】
【００３５】
１    レーザ素子駆動装置
１１    発光制御スイッチ
１２    フィードバック増幅器
１３    フェイルセーフ回路
１４    ソフトスタート回路
１６    発光制御スイッチ制御回路
１７    発振器
１８    内部電源検出回路
２１    間欠制御信号検出回路
１９、２２    カウンタ
２０、２３    フリップフロップ回路
２４    発光強度設定電圧発生器
２５    電源スイッチ
２８    ＮＯＲ回路
２９    発光停止スイッチ
３０    電圧変換抵抗
３８    ソフトスタート用コンデンサ
ＬＤ    レーザ素子
ＰＤ    光検出素子
ＳＩＧ    間欠制御信号    
【図１】
2005286060.tif 000003
【図２】
2005286060.tif 000004